【手続補正書】
【提出日】平成30年10月19日(2018.10.19)
【手続補正１】
【補正対象書類名】特許請求の範囲
【補正対象項目名】全文
【補正方法】変更
【補正の内容】
【特許請求の範囲】
【請求項１】
ヒト及び／又は動物と生体適合性のある製品を含有するのに適したガラス製又はプラスチック製の容器の内面を覆う層の製造のための方法であって、
−溶媒、水、アルコキシル基を含む分子前駆体及び触媒としての酸を含有する溶液を形成し、
−加水分解及び凝縮を開始させるためにその溶液を混合し、該酸はクエン酸であることを特徴とし、
−そのようにして得られた溶液を該容器の内面の少なくとも一部分に適用し、該溶液は加水分解及び凝縮中であり、
−そのようにして適用された該溶液が所定の温度で所定の時間にわたり乾燥される方法
。
【請求項２】
加水分解及び凝縮中の溶液が、該混合後、該混合と該適用との間に中間のろ過又は溶媒の添加を行うことなく、該容器の内面に適用されることを特徴とする、請求項１に記載の方法。
【請求項３】
該クエン酸が６ｍｏｌ／Ｌ以下の濃度を有し、該濃度の酸の１単位体積に対して該溶液が１〜１２単位体積の前駆体を含むことを特徴とする、請求項１又は２に記載の方法。
【請求項４】
クエン酸の水中濃度が２ｍｏｌ／Ｌ未満であることを特徴とする、請求項３に記載の方法。
【請求項５】
該乾燥が、該適用と同時に実施されることを特徴とする、請求項１〜４のいずれか一項記載の方法。
【請求項６】
該乾燥の後に、より高い所定の温度範囲内での焼成工程が続くことを特徴とする、請求項１〜５のいずれか一項記載の方法。
【請求項７】
適用前に該溶液に界面活性剤を添加することを特徴とする、請求項１〜６のいずれか一項記載の方法。
【請求項８】
該界面活性剤が、ポリエチレングリコール及び／又は臭化セチルトリメチルアンモニウム及び／又は陰イオン性界面活性剤及び／又はポリエチレングリコール・ｐ−（１，１，３，３−テトラメチルブチル）−フェニルエーテルから選択されることを特徴とする、請求項７記載の方法。
【請求項９】
該容器の内部を換気しながら該溶媒及び該酸の沸点より高い温度で２０分を超える時間にわたり乾燥することを特徴とする、請求項１〜８のいずれか一項記載の方法。
【請求項１０】
該溶液が０．０２ｍｏｌ／Ｌ〜０．８ｍｏｌ／Ｌのクエン酸濃度を有することを特徴とする、請求項１〜９のいずれか一項記載の方法。
【請求項１１】
該内面へ該溶液を適用する前にあらかじめ、Ｒ又はＲ１水質の水及び／又は０．５質量％〜１．２質量％の濃度のＮａＣｌ充填水を用いたオートクレーブに少なくとも３回通すことにより、抽出可能な物質を前記内面から抽出することを特徴とする、請求項１〜１０のいずれか一項記載の方法。
【請求項１２】
該内面に該溶液を適用する前にあらかじめ、保湿器内において関連分子の完全な溶解を可能にするのに十分な比率で水に溶解された塩化ナトリウム及び／又はグルコン酸カルシウムを含有する多湿雰囲気で処理することにより、抽出可能な物質を前記内面から抽出することを特徴とする、請求項１〜１０のいずれか一項記載の方法。
【請求項１３】
該容器がガラス製のものである場合、５３０°〜６００℃の温度で２０〜４０分の時間にわたり該容器を焼成することを特徴とする、請求項６記載の方法。
【請求項１４】
該容器がプラスチック製のものである場合、９０°〜１５０℃の温度で４０〜６０分の時間にわたり該容器を焼成することを特徴とする、請求項６記載の方法。
【請求項１５】
前駆体として３−グリシドキシプロピルトリメトキシシラン又はオルトケイ酸テトラエチルが使用されることを特徴とする、請求項１〜１４のいずれか一項記載の方法。
【請求項１６】
溶媒として２−ブトキシエタノールが使用されることを特徴とする、請求項１〜１５のいずれか一項記載の方法。
【請求項１７】
１測定単位の水に対して７測定単位の溶媒、０．５ｍｏｌ／Ｌ〜４ｍｏｌ／Ｌの濃度の２測定単位の酸及び２測定単位の前駆体の比率で該溶媒と該前駆体とを混合することを特徴とする、請求項１〜１６のいずれか一項記載の方法。
【請求項１８】
ＳｉＯ２、着色顔料、酸化セリウム及び／又は銀の組み合わせから選択される機能を実施するのに適合した添加物が該混合物に添加されることを特徴とする、請求項１〜１７のいずれか一項記載の方法。
【請求項１９】
該成分添加後に、２５〜４５分の時間ｔにわたり１５℃〜３５℃の温度で混合することを特徴とする、請求項１〜１８のいずれか一項記載の方法。
【請求項２０】
前記内面の少なくとも一部分に該コーティング液体を適用し、過剰な該コーティング生成物を排出し、該生成物を乾燥する連続工程が少なくとも３回繰り返されることを特徴とする、請求項１〜１９のいずれか一項記載の方法。
【請求項２１】
順に該溶媒、該酸性触媒、該水、次に該分子前駆体が連続的に混合されることを特徴とする、請求項１〜２０のいずれか一項記載の方法。
【請求項２２】
プラズマ雰囲気での処理があらかじめ実行されることを特徴とする、請求項１〜２１のいずれか一項記載の方法。
【請求項２３】
ヒト及び／又は動物と生体適合性のある製品を含有するのに適した空洞の境界を定める壁を含むガラス製又はプラスチック製の容器において、前記壁が前記空洞と向き合う内面を有し、前記内面の少なくとも一部分が、溶媒、水、アルコキシ基を含む分子前駆体及び触媒としての酸を含有する溶液から得られる凝固ゲルの層により覆われる容器であって、該層が請求項１〜２２のいずれか一項記載の方法により得られ、該酸がクエン酸であることを特徴とする容器。
【請求項２４】
該溶液がＳｉＯ２、着色顔料、酸化セリウム及び／又は銀を含むことを特徴とする、請求項２３記載の容器。
【手続補正２】
【補正対象書類名】明細書
【補正対象項目名】００５５
【補正方法】変更
【補正の内容】
【００５５】
以下のことに留意されるべきである：
−硝酸の大気圧での沸点が１２１℃であり、クエン酸の大気圧での沸点が１７５℃であること；
−溶液が、２mol/l〜３mol/lの間、有利には２．５mol/lの硝酸濃度、又は０．０２mol/l〜０．８mol/lの間、有利には０．１８９mol/lのクエン酸濃度を有すること；
−内面への溶液の適用の前に、抽出可能な材料が、Ｒ若しくはＲ１品質の水及び／又は０．５％〜１．２％の濃度に従ってＮａＣｌが添加された水と共にオートクレーブ内の少なくとも３つの通路によって、前記内面からあらかじめ抽出されること；
−内面への溶液の適用の前に、抽出可能な材料が、該当する分子の完全な溶解を可能にするのに十分な割合で水に溶解された塩化ナトリウム及び／又はグルコン酸カルシウムを含有する多湿雰囲気状態のオーブン内での処理によって、前記内面からあらかじめ抽出されること；
−容器がガラス製である場合、容器が、酸が硝酸である場合は４５０℃〜５５０℃の温度で、酸がクエン酸である場合は５３０℃〜６００℃の温度で、２０〜４０分間焼成されること；
−容器がプラスチック製である場合、容器が、９０℃〜１５０℃の温度で４０〜６０分間焼成されること；
−３−グリシドキシプロピルトリメトキシシラン又はオルトケイ酸テトラエチルが前駆体として使用されること；
−２−ブトキシエタノールが溶媒として使用されること（大気圧でのその沸点は１７２℃である）；
−溶媒及び前駆体が、１測定単位の水と、硝酸については１０mol/l〜１８mol/lの間、有利には１５．５５mol/l、そして、クエン酸については０．５mol/l〜４mol/lの間、有利には１mol/lの濃度の２測定単位の酸と２測定単位の前駆体に対して７測定単位の溶媒の割合で、混合されること；
−ＳｉＯ２、着色顔料、酸化セリウム及び／又は銀の組み合わせから抜粋される機能を実施するために好適な添加物が混合物に添加されること；
−成分の添加後、溶液が、１５℃〜３５℃の間の温度で２５〜４５分間の時間（ｔ）混合されること。
【手続補正３】
【補正対象書類名】明細書
【補正対象項目名】００９６
【補正方法】変更
【補正の内容】
【００９６】
有利には、溶媒（２ＢＯＥ）及び前駆体は、１測定単位の水と、硝酸については１０mol/l〜１８mol/lの間、有利には１５．５５mol/l、そして、クエン酸については６mol/l未満、例えば４mol/l未満、例えば０．５mol/l〜４mol/lの間、有利には３．１２mol/l、より有利には１．０４mol/l±０．５mol/lの濃度の２測定単位の酸と２測定単位の前駆体に対して７測定単位の溶媒の割合で、混合される。